(57)【要約】【課題】光と素数磁束の相互作用により光から電子、陽電子対を発生させる方法。【解決手段】光と複数の永久磁石の同磁極を点、線、面で接触または近接させたときの磁場即ち素数磁場の磁束である素数磁束は共に粒子性と波動性を有するので相互作用を為し、光は素数磁場の極小領域で生み出されたエネルギ−を受け取り素数場理論を物理的に解析することにより得られる数式の意味する物理内容に従い素数磁場の極小領域で光から電子、陽電子対が発生することにより課題は解決できる。【選択図】図１
2012058116.tif 000002
【特許請求の範囲】
【請求項１】
原子物理学による光の粒子性と波動性、そして複数の永久磁石の同磁極を点、線、面で接触または近接させたときの磁場即ち素数磁場の素数磁束の素数場理論による粒子性と波動性とにより素数磁場では光と素数磁束は相互作用を為し素数磁場の極小領域では光は極小領域で生み出されたエネルギ−を受け取り素数場理論を物理的に解析することにより得られる（数１式）の意味する物理内容に従い素数磁場の極小領域で光から電子、陽電子対を発生させる方法。
【数１】
2012058116.tif 000019
【発明の詳細な説明】
【技術分野】
【０００１】
本発明は光と素数磁束が粒子性と波動性を有することより、光と素数磁束の相互作用により光から電子、陽電子対を発生させる方法に関するものである。       
【背景技術】
【０００２】
光が粒子性と波動性を有することは原子物理学において既に明白な事実である。
【０００３】
光の粒子である光子は電荷を有せず、またボ−ス粒子と考えられるので基本的には磁場と相互作用しない。                                                                                    
【０００４】
光から電子、陽電子対または電子、陽電子対から光を発生させる方法は既に巨大加速器などの大規模な実験施設により実証されている。また天体核現象において非常に高温のときこのような物理事象が生ずると予想されている。
【０００５】
このように比較的小さいエネルギ−の光から電子、陽電子対を発生させるには大きなエネルギ−の注入が必要であり、地上では簡単に為し得ないと考えられる。
【０００６】
複数の永久磁石の同磁極を点、線、面で接触または近接させたときの磁場即ち素数磁場の素数磁束は縦方向と横方向に秩序性を有する時間変化を為すことより素数磁束は粒子性と波動性を有すると考えられ、そして素数磁場の極小領域では大きなエネルギ−が生み出されることより、光は素数磁場の極小領域で素数磁束との相互作用により電子、陽電子対を発生させると考えられる。
【先行技術文献】
【特許文献】
【０００７】
【特許文献１】特願２００８−３２９１７２号
【特許文献２】特願２００９−１６０３６９号
【特許文献３】特願２０１０−１２００６０号
【非特許文献】
【０００８】
【非特許文献１】物理学その現代的アプロ−チ
【非特許文献２】量子場を学ぶための場の解析力学入門
【非特許文献３】理学を志す人のための数学入門
【発明の概要】
【発明が解決しようとする課題】
【０００９】
光は波動としての性質と光子という粒子としての性質を有する。光子は素粒子とみなされ電子、陽電子対を発生する。陽電子は反粒子であり自然界には単独では存在しない。
【００１０】
光子から電子、陽電子対を発生させるには巨大加速器などの大規模な実験施設が用いられており大きなエネルギ−が注入されている。
【００１１】
陽電子を光から単純な方法で発生させることができれば陽電子により化学物質の合成反応とか分解反応に有用であり、また気体、液体、固体の物性などを変化させることに有用である。
【００１２】
従って発明が解決しようとする課題は、光から電子、陽電子対を単純な方法でしかもエネルギ−の注入を最小限に抑えて発生させる方法である。
【課題を解決するための手段】
【００１３】
本出願人は課題を解決するために磁場の利用を考えた。光または光の粒子である光子は電荷を有しないから基本的に磁場とは相互作用しない。従って本出願人は複数の永久磁石の同磁極を点、線、面で接触または近接させたときの磁場即ち素数磁場に着目した。
【００１４】
素数磁場の磁束即ち素数磁束は特許文献１より縦方向と横方向に一定の角振動数で振動しているから素数磁束は粒子性と波動性を有していると認識できる。素数磁束の粒子性とは素数磁束の幾何構造はル−プとか円環であることを意味する。素数磁束が粒子性と波動性を有することは素数磁場での電位差の発生よりも認識できる。光も粒子性と波動性を有していることは既に明白な事実である。
【００１５】
従って光と素数磁束の粒子性と波動性により光と素数磁束は同一の物理状態であることから相互作用を為すと考えられる。
【００１６】
本出願人は光と素数磁束の相互作用により光子から電子、陽電子対が発生すると考えた。光子から電子、陽電子対が発生する反応は数学的、物理的に整合性のある数式で表現すると理解し易い。
【００１７】
整合性のある数式は、素数に関する数論式を物理法則と対応させ、そして数論式の因数を物理量に対応させて物理事象を求める理論を素数場理論と名称すれば、素数場理論を物理的解析することにより求められる。
【００１８】
素数場理論を物理的に解析することにより求められる数式は結果のみを記すと(数１式)となる。
【００１９】
【数１】
2012058116.tif 000003
【００２０】
(数１式)は数論表示のゼ−タ関数とかオイラー定数を含み、また物理量であるプランク定数とか角振動数そして電気素量を含むことから数論的、物理的数式である。(数１式)は電子の粒子性と波動性が等値な関係にあることを示唆している。
【００２１】
(数１式)は勿論素数場で成立する数式であり、この単純な数式は素数磁場で光子から電子、陽電子対が発生することを説明している。
【００２２】
素数磁場の極小領域では特許文献３より約０．８２ＭｅＶのエネルギ−が生み出され、また電子の静止エネルギ−は約０．５１ＭｅＶであるからエネルギ−収支の観点からも素数磁場の極小領域での光と素数磁束の相互作用により、光は素数磁場の極小領域で生み出されるエネルギ−を受け取り電子、陽電子対を発生させると考えられる。
【００２３】
仕事関数であるゼ−タ関数は物理量である電位差と素数場理論により、ゼ−タ関数×電位差＝一定という関係が成立するので(数１式)は物理的次元を満足している。
【００２４】
以上の記述により光の粒子性と波動性、そして複数の永久磁石の同磁極を点、線、面で接触または近接させたときの磁場即ち素数磁場の素数磁束の粒子性と波動性とにより素数磁場では光と素数磁束は相互作用を為し、素数磁場の極小領域で光は生み出されたエネルギ−を受け取り素数場理論を物理的に解析することにより得られる(数１式)の意味する物理内容に従い素数磁場の極小領域で電子、陽電子対を発生する。従って課題を解決するための手段は素数磁場の極小領域に光を照射するという単純な方法であり、光から電子、陽電子対発生のために費やされるエネルギ−も素数磁場の極小領域で生み出されるエネルギ−が用いられることにより外から注入するエネルギ−も最小限に抑えることができる。
【発明の効果】
【００２５】
反粒子である陽電子により化学物質の合成反応、分解反応などに対し効果を有する。
【００２６】
陽電子を気体、液体、固体に反応させることにより物性を変化させる効果を有する。例えば陽電子を水分子の水素結合に反応させ水の粘度とか比熱などの物性を変化させる効果を有する。
【図面の簡単な説明】
【００２７】
【図１】素数磁場の極小領域に光を照射したとき、光から電子、陽電子対が発生する図である。
【発明を実施するための形態】
【００２８】
本発明は素数に関する数論式を物理法則に対応させ、数論式の因数を物理量に対応させて物理事象を求める理論即ち素数場理論を基準にして考えた。
【００２９】
素数場理論に基づき本発明である光から電子、陽電子対を発生させるという物理事象を説明するには物理事象を数論的物理的な数式で表示すると理解し易い。また本発明の重要な概念である素数磁束の粒子性と波動性も数式で表示すると理解し易い。
【００３０】
先ず光から電子、陽電子対が発生するという物理事象を説明する数論的物理的な数式は結果的に表示すると上述した(数１式)となる。(数１式)の成立過程を概略的に説明する。
【００３１】
本発明の基本的思考概念は数値計算を満足する数論式は物理の変分原理と等値な関係にあるということである。従って数値計算を満足する数論式は実現される物理事象を説明するという考え方である。(特許文献２)より素数場の変分原理の概念を満足する数論式即ち素数場の運動方程式は(数２式)となり、また素数磁束を整列分布させようとする仕事関数であるゼ−タ関数の積分表示式は(数３式)となる。(数２式)と(数３式)より数論的物理的な数式(数４式)が求められる。数論的物理的な数式は素数に関する数論式を基礎にして組み立てられているから数値計算の概念を満足する。
【００３２】
【数２】
2012058116.tif 000004
【００３３】
【数３】
2012058116.tif 000005
【００３４】
【数４】
2012058116.tif 000006
【００３５】
(数４式)は数値計算を満足する数式(数５式)により書き換えられて(数６式)となる。(数６式)の左辺の第１項はゼ−タ関数をｓ＝１としたとき簡単にｌｎλ（ｋ）と書くと１／（ゼ−タ関数＋Ｃ）となる。そして右辺の素数因数であるファイダッシュの２乗を極小領域での磁束量子ｈ／eに対応させて(数６式)を書き換えると(数１式)が求まる。(数１式)は粒子と波動の等値性そして波動から粒子の生成つまり光から電子、陽電子対が発生するという物理事象を説明する数論的物理的な数式である。
【００３６】
【数５】
2012058116.tif 000007
【００３７】
【数６】
2012058116.tif 000008
【００３８】
(数１式)は素数場の極小領域で光からの電子、陽電子対の発生という物理事象を表示しそして素数磁束の整列分布の概念を満足する数論的物理的な数式である。素数磁束の整列分布は素数磁束の粒子性と波動性を論ずる上での重要な前提条件である。(数１式)には整列分布を意味するゼ−タ関数が導入されているので(数１式)は素数磁束の整列分布の概念を含んでいるがゼ−タ関数を導入しない一般的な素数磁束の整列分布を説明する数式も求めておく必要がある。その数式は変分原理式が適切であると考える。
【００３９】
変分原理式を求めるにはＬ（ラグランジェアン）を知る必要がありＬは素数場の量の満たす微分方程式がわかっているときは逆算して求めることができる。素数場の量を（数７式）という複素変数で表示すると場の量を満たしそして数値計算を満足する微分方程式は（数８式）となる。但し数値計算には（数９式）を用いた。（数８式）と数値計算を満足する（数１０式）とにより若干変形した（数１１式）が求まる。
【００４０】
【数７】
2012058116.tif 000009
【００４１】
【数８】
2012058116.tif 000010
【００４２】
【数９】
2012058116.tif 000011
【００４３】
【数１０】
2012058116.tif 000012
【００４４】
【数１１】
2012058116.tif 000013
【００４５】
（数１１式）よりＬとして（数１２式）が求まり変分原理式として（数１３式）が求まる。（数１３式）は素数磁束の整列分布を表示しているのみならず粒子と波動の等値性を説明している。
【００４６】
【数１２】
2012058116.tif 000014
【００４７】
【数１３】
2012058116.tif 000015
【００４８】
次に本発明での基本的概念である素数磁束の粒子性と波動性を説明するためには数式で表示すると理解し易い。素数磁束の粒子性と波動性を表示する数式は素数磁束を作用素表示にして行列を用いた２階の常微分方程式で書くことが適切である。計算過程は省略するが素数磁束の粒子性は素数場の運動方程式である（数８式）と等値な関係となる（数１４式）で表示される。
【００４９】
【数１４】
2012058116.tif 000016
【００５０】
素数磁束の波動性は行列の成分に双曲関数、三角関数を用いた（数１５式）で表示される。
【００５１】
【数１５】
2012058116.tif 000017
【００５２】
以上の記述により素数磁場の極小領域では光と素数磁束の粒子性と波動性により光と素数磁束は相互作用を為し、光は極小領域で生み出されるエネルギ−を受け取り（数１式）の意味する物理内容に従い電子、陽電子対を発生することにより、発明を実施するための形態は素数磁場の極小領域に光を照射し極小領域内に電子、陽電子対と反応する対象物を配置することにより対象物を電子、陽電子対と反応させ、対象物が化学物質の場合は合成反応とか分解反応を生じさせることにある。
【産業上の利用可能性】
【００５３】
素数磁場の極小領域での光から電子、陽電子対の発生は海水のＮａＣｌをＮａＯＨとＨＣｌという化合物にする可能性をもつ。海水中のＮａイオンは電子を受け取りＮａ原子となりＮａ原子は水と反応してＮａＯＨとなり，Ｃｌイオンは陽電子を受け取り塩素となり塩素は水と反応してＨＣｌとなる可能性がある。この反応は（化１式）で示される。海水中に素数磁場を配置し例えば太陽光を照射すると海水中のＮａＣｌはＮａＯＨとＨＣｌという化合物に変化する可能性があり、従って海水中のＮａイオン、Ｃｌイオンを直接イオン交換膜で除去するよりはＮａＯＨ、ＨＣｌとして除去するほうが容易であると考えられるため海水を真水にする技術に利用できる可能性がある。
【００５４】
【化１】
2012058116.tif 000018
【符号の説明】
【００５５】
１  永久磁石
２  素数磁場の極小領域
３  光（例えば太陽光）
４  電子
５  陽電子
【図１】
2012058116.tif 000020